(57)【要約】【課題】  伝統ある本格的な袷羽織（３）感覚で羽織本来の格調を失うことなく経済的な表裏両面着用可能な袷羽織を提供する。【解決手段】  袷羽織本体（３）の衿を構成する帯状の長尺布地（１）において、この布地を中央線（２）に沿って、でこ状に二つ折りにしたとき中央部の衿山（１５）を形成するのであるが、左方は表側生地（１３）と同一絵柄（２０）であり、右側は裏側生地（１４）の絵柄（２１）がつけられている。  この中央線（２）付近に表裏の絵柄を融合させる染加工調整ゾーン（１６）が設けられており、この帯状の長尺布地（１）を衿に用いて完成される表裏両面着用可能な袷羽織。【選択図】  図１
2005240260.tif 000002
【特許請求の範囲】
【請求項１】
袷羽織本体（３）の衿を構成する帯状の長尺布地（１）において、この布地を中央線（２）に沿って、でこ状に二つ折りにしたとき中央部の衿山（１５）を形成するのであるが、左方は裏側生地（１３）と同一絵柄（２０）であり、右側は裏側生地（１４）の絵柄（２１）がつけられており、中央線（２）付近には染加工調整ゾーン（１６）が設けられており、この帯状の長尺布地（１）を衿に用いたことを特徴とする表裏両面着用可能な袷羽織。
【請求項２】
請求項１記載の袷羽織（３）であって衿の止着紐（１２）が伸縮性を有する紐であることを特徴とする表裏着用可能な袷羽織。
【発明の詳細な説明】
【技術分野】
【０００１】  本発明は、袷羽織（３）の表裏面を適時Ｔ・Ｐ・Ｏにより表着として着用可能となし得る表裏両面着用可能な羽織に関する。
【背景技術】
【０００２】  本来袷羽織（３）は、１着でＴ・Ｐ・Ｏを表現しょうとするものであり、数多く数種のものを所持する必要があるものであった。コートとは異なり屋内では脱ぐと言う従来からの着脱の規制がなく、利用度の高いものとなっていた。ゆえに着用数も多く且つ経済的費用の負担増大を招くものであった。【０００３】  又、袷羽織（３）は縫製上の宿命として衿（５）の遊び・反り返りが必ず発生するするということが避けられず、このためスタイル上の不満感を常時気にしながらの着用となっている。
従来のリバーシブル羽織は図５に示すように袷羽織（３）のような衿の輪（１９）仕立てが不可能なため衿山（１５）に表生地（１３）と裏生地（１４）の異種の色合いが露出し、また衿裏（１７）には異色の裏生地（１３）が構成上必然的に逢着されることにより着用者に低級品の認識を与え不評をかっている。
【発明の開示】
【発明が解決しょうとする課題】
【０００４】  本発明１は、これら種々の問題点を解消し、従来のリバーシブル（図５）とした袷羽織（３）の縫製、絵付け等の形状から脱却し、又、衿（５）の遊び・反り返り防止機能を改良した表裏両面着用可能な袷羽織を完成し、一見リバーシブルと思わせない袷羽織の発現と、しばしば提言されるリバーシブルのカジュアル感覚と低級化を払拭し、ホーマル的な高級ゾーンへと移行するべくグレードアップした袷羽織（３）を提供しょうとするものである。
【０００５】  本発明２のゴム紐による止着紐（１２）の伸縮性による要尺の短縮を図り、また裏面着用時の折返し操作の敏速性を高め、難渋さを解消しょうとするものであり結果的に従来の紐より軽小化となり異物様としての存在感を薄れさそうとするものである
【課題を解決するための手段】
【０００６】    本発明は請求項１記載の袷羽織本体（３）の衿を構成する帯状の長尺布地（１）において、この布地を中央線（２）に沿って、でこ状に二つ折りにしたとき中央部の衿山（１５）を形成するのであるが左方は表地生地（１３）と同一絵柄（２０）であり、右側は裏地生地（１４）の絵柄（２１）がつけられている。
この中央線（２）付近に染加工調整ゾーン（１６）が設けられており、この帯状の長尺布地（１）を衿に用いて完成させるものである。
本発明である染加工調整ゾーン（１６）としては、ぼかし、グラデーション、色合い、柄調子等で両者の極端な変化を和らげ違和感なく表裏地柄に融合移行させる絵柄染加工調整によりこれらの問題を解決し完成させようとするものである。
【０００７】  この染加工調整ゾーン（１６）において表裏絵柄が違和感なく融合し接合でき得る最適の位置を衿山（１５）として染色加工を施し、袷羽織である輪（１９）の衿を形成させようとするものである。
【０００８】  本発明２の袷羽織の衿（５）と前身頃（６）の止着紐（１２）は現在一般的な羽織で使用されている糸紐なるものを糸ゴム紐へと変更させ、さらに糸ゴムは生地面への万一の安全性と融合性を考慮し類似色の繊維を巻きつけたものを用いる。又、ゴムの伸縮性を利用するため従来の要尺より相当短縮され、裏返し着用時に何ら支障をきたし難い物となる。
止着紐（１２）が短縮され全体的に軽小になるため異物的な目障り感が希薄となる袷羽織を完成する。
【発明の効果】
【０００９】  本発明１は本格的な袷羽織（３）と全く同じくした方法で、衿山（１５）は輪（１９）になっており一見本格的な袷羽織（３）としか見えず、高級感ある礼装の地位を保持しリバーシブル羽織を感じさせないものになっている。
【００１０】  羽織本体（３）は上述の如く過去にない大胆な衿の染加工を施し、今日市場に流通しているリバーシブル羽織の低価値観なる評価を払拭させるべく逸品にレベルアップせしめた袷羽織（３）であり、又この本発明１はコート衿及び道中着衿にも同様スムースにスライド適用でき、羽織る製品多岐にわたり応用期待できるものである。
ゆえに着用者においては従来のリバーシブル然としたものでなく、格調高い古来よりの輪による衿型縫製による羽織を始としコート、道中着の着用においても本格的な高級感を享受できるものとなっている。
さらに表裏生地の変化の面白さを加味させる異種の袷羽織（３）が、１着分で２種類でき上がり経済的にも満足感を与える物となっている。
【００１１】  本発明２は本来いずれの羽織の衿（５）も必ず反り返るという縫製上の復元力学が発生するため一見悪しきスタイルとなり見映えが悪くなっている。しかしながら糸ゴム止着紐（１２）を使用することにより、従来の紐使用よりも衿先部（１０）と前身頃裾部（１８）との密着度の割合が高くなり長い紐の異物的な存在が縮小軽減され更に見映えがよくなっている。尚、裏側生地（１３）着用時における裏返し操作がゴムの伸縮性が加味されるため更に簡便になっている。
【発明を実施するための最良の形態】
【実施例１】
【００１２】  本発明の実施の形態を実施例にもとづいて図面を参照して説明する。本発明２図は、女物の袷羽織（３）本体であり、袷羽織の基本構成要素であるところの、前身頃（６）後身頃（７）衿（５）袖（４）及び襠（８）を有し、これらを表側および裏側に設定した指定箇所を縫着して袷羽織（３）を完成させている。【００１３】  上述の縫製仕立によれば裾の返り、袖口の形成はなされず当然ながら肩裏及び袖口布は不要となる。
（図２）の乳付け（９）は羽織紐を取り付ける輪状の設置物であるが、従来より必ず敷設されているものであり本発明１の完成においては余り改善変更の必要のないものである。【００１４】  帯状の長尺布地（１）は長さ約２３０センチ、幅は約２４センチを基準とし、図示の左側表生地絵柄（２０）及び右側裏生地絵柄（２０）は共に約１２センチ程度であり、染加工調整ゾーン（１５）の幅は色合いと絵柄調子にもよるが約２センチを基本とし最高３センチ迄の仕様にて染色加工するものである。【００１５】  カジュアルとホーマル等、たとえば表着（１１）は一般的な外出着としておしゃれ風の小紋などを用い、弔事には必須条件である黒紋付または寒色系統の裏側生地（１２）とする等用途と使用目的により１着で２種類の着用目的に対応変化させることができる。【００１６】  又袷羽織本体（３）の生地を紗、羅織等の薄物生地とシャリ感のある染大島などと縫着させることによりスリーシーズン着用可能な袷羽織とすることができる。
【図面の簡単な説明】
【００１５】
【図１】本発明１の実施形態を示す染加工調整ゾーン（１６）の長尺布地の平面図。
【図２】本発明１の実施形態を示す袷羽織（３）の平面図。
【図３】本発明１の実施形態を示す左方の衿先折返し裏面部（１１）の拡大図。
【図４】本発明２の実施形態を示す左方の衿先（１０）と前身頃裾部（１８）の止着紐（１２）接着部拡大図。
【図５】従来のリバーシブル袷羽織（図５）の衿先部（１０）及び衿山（１５）拡大図。
【符号の説明】
１  帯状長尺布地                ２０  表生地絵柄
２  中央線                      ２１  裏生地絵柄
３  袷羽織本体
４  袖
５  衿
６  前身頃
７  後身頃
８  襠（まち）
９  乳付け
１０  衿先部
１１  衿先折返し裏面部
１２  止着紐
１３  表側生地
１４  裏側生地
１５  衿山
１６  染加工調整ゾーン
１７  衿裏
１８  前身頃裾部
１９  袷衿の輪（わ）
【図１】
2005240260.tif 000003
【図２】
2005240260.tif 000004
【図３】
2005240260.tif 000005
【図４】
2005240260.tif 000006
【図５】
2005240260.tif 000007